Podtech/llm-jp-corpus-v4-ja_patent huggingface dataset:
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
服薬不履行の可能性が高い疾患における薬剤服用順守を向上させるための埋め込み型の長期間薬剤送達システムであって、
ポリ乳酸（ＰＬＡ）及び随意的にポリグリコール酸（ＰＧＡ）を含み、前記ＰＬＡ：ＰＧＡのモル比が５０：５０〜１００：０であるポリマーを有する埋め込み型の棒状構造体と、
前記棒状構造体に収容された治療薬剤とを含むことを特徴とするシステム。
【請求項２】
請求項１に記載の埋め込み型の長期間薬剤送達システムであって、
前記棒状構造体が、薬剤送達期間中に取り出し可能であることを特徴とするシステム。
【請求項３】
請求項１に記載の埋め込み型の長期間薬剤送達システムであって、
前記治療薬剤が、前記棒状構造体の質量に対して３０〜６０質量％の量で存在することを特徴とするシステム。
【請求項４】
請求項１に記載の埋め込み型の長期間薬剤送達システムであって、
前記治療薬剤が、低ｐＨ環境で、溶解度の増加を示すことを特徴とするシステム。
【請求項５】
請求項１に記載の埋め込み型の長期間薬剤送達システムであって、
前記治療薬剤が、リスペリドン、９−ＯＨリスペリドン、又はそれらの活性代謝物であることを特徴とするシステム。
【請求項６】
請求項１に記載の埋め込み型の長期間薬剤送達システムであって、
前記治療薬剤が、チオチキセン、ハロペリドール、ヒドロクロロチアジド（ＨＣＴＺ）、コルチコステロン、イブプロフェン、アスピリン、又はそれらの活性代謝物であることを特徴とするシステム。
【請求項７】
請求項１に記載の埋め込み型の長期間薬剤送達システムであって、
前記ＰＬＡ：ＰＧＡのモル比が、７５：２５〜１００：０であることを特徴とするシステム。
【請求項８】
請求項１に記載の埋め込み型の長期間薬剤送達システムであって、
前記治療薬剤が、抗うつ剤であることを特徴とするシステム。
【請求項９】
請求項１に記載の埋め込み型の長期間薬剤送達システムであって、
前記治療薬剤が、抗不安剤であることを特徴とするシステム。
【請求項１０】
請求項１に記載の埋め込み型の長期間薬剤送達システムであって、
前記治療薬剤が、抗精神病剤であることを特徴とするシステム。
【請求項１１】
請求項１に記載の埋め込み型の長期間薬剤送達システムであって、
前記治療薬剤が、避妊剤であることを特徴とするシステム。
【請求項１２】
請求項１に記載の埋め込み型の長期間薬剤送達システムであって、
前記棒状構造体が、１〜４ｍｍ２／ｍｍ３の表面積／体積比を有することを特徴とするシステム。
【請求項１３】
請求項１に記載の埋め込み型の長期間薬剤送達システムであって、
前記棒状構造体が、１〜３ｃｍの長さを有することを特徴とするシステム。
【請求項１４】
請求項１に記載の埋め込み型の長期間薬剤送達システムであって、
前記棒状構造体が、２〜４ｍｍの直径を有することを特徴とするシステム。
【請求項１５】
生分解性インプラントであって、
治療薬剤と、ポリ乳酸（ＰＬＡ）及び随意的にポリグリコール酸（ＰＧＡ）を含むポリマーとを含み、
前記治療薬剤が、当該インプラントの質量に対して１０〜６０質量％の量で存在し、
前記ポリマーが、当該インプラントの質量に対して４０〜９０質量％の量で存在することを特徴とするインプラント。
【請求項１６】
請求項１５に記載の生分解性インプラントであって、
棒状であることを特徴とするインプラント。
【請求項１７】
請求項１５に記載の生分解性インプラントであって、
実質的に円形の断面を有することを特徴とするインプラント。
【請求項１８】
請求項１５に記載の生分解性インプラントであって、
実質的に楕円形の断面を有することを特徴とするインプラント。
【請求項１９】
請求項１５に記載の生分解性インプラントであって、
１〜４ｍｍ２／ｍｍ３の表面積／体積比を有することを特徴とするインプラント。
【請求項２０】
請求項１５に記載の生分解性インプラントであって、
１〜３ｃｍの長さを有することを特徴とするインプラント。
【請求項２１】
請求項１５に記載の生分解性インプラントであって、
２〜４ｍｍの直径を有することを特徴とするインプラント。
【請求項２２】
請求項１５に記載の生分解性インプラントであって、
前記ＰＬＡ：ＰＧＡのモル比が、７５：２５〜１００：０であることを特徴とするインプラント。
【請求項２３】
請求項１５に記載の生分解性インプラントであって、
薬剤送達期間中に取り出し可能であることを特徴とするインプラント。
【請求項２４】
請求項１５に記載の生分解性インプラントであって、
当該インプラントは、低ｐＨ内部環境を示すことを特徴とするインプラント。
【請求項２５】
請求項２４に記載の生分解性インプラントであって、
前記低ｐＨ内部環境は、低ｐＨで溶解度を増加させることにより、薬剤の放出を促進することを特徴とするインプラント。
【請求項２６】
請求項１５に記載の生分解性インプラントであって、
界面活性剤又は乳剤の使用を必要としない、溶媒キャスティング法、溶融混合、又は溶融混合押出法から選択されるステップを含むプロセスにより製造されることを特徴とするインプラント。
【請求項２７】
請求項１５に記載の生分解性インプラントであって、
前記治療薬剤が、前記埋め込み物の３０〜６０質量％の量で存在することを特徴とするインプラント。
【請求項２８】
請求項１５に記載の生分解性インプラントであって、
前記治療薬剤が、リスペリドン、９−ＯＨリスペリドン、又はそれらの活性代謝物であることを特徴とするインプラント。
【請求項２９】
請求項１５に記載の生分解性インプラントであって、
前記治療薬剤が、チオチキセン、ハロペリドール、ヒドロクロロチアジド（ＨＣＴＺ）、コルチコステロン、イブプロフェン、アスピリン、又はそれらの活性代謝物であることを特徴とするインプラント。
【請求項３０】
請求項１５に記載の生分解性インプラントであって、
前記治療薬剤が、抗うつ剤であることを特徴とするインプラント。
【請求項３１】
請求項１５に記載の生分解性インプラントであって、
前記治療薬剤が、抗不安剤であることを特徴とするインプラント。
【請求項３２】
請求項１５に記載の生分解性インプラントであって、
前記治療薬剤が、抗精神病剤であることを特徴とするインプラント。
【請求項３３】
請求項１５に記載の生分解性インプラントであって、
前記治療薬剤が、避妊剤であることを特徴とするインプラント。
【請求項３４】
ヒトの統合失調症を治療するための薬剤を製造するための、請求項１５に記載の生分解性インプラントの使用。
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
レーザ支援眼内角膜曲率形成術(LASIK)の後の患者の眼における角膜感覚を、部分的にまたは完全に増強回復させるための状況下における投与のための薬剤の調製のための、神経刺激および/または神経保護活性を有するマクロライドの使用であって、前記薬剤は非全身性局所的眼投与のために配合される使用。
【請求項２】
前記薬剤が、局所的な、眼内注射、結膜下投与、または硝子体内施用のために配合される、請求項1に記載の使用。
【請求項３】
前記薬剤が遅延または持続放出製剤である、請求項1または2に記載の使用。
【請求項４】
前記薬剤がレンズ内に配合される、請求項1に記載の使用。
【請求項５】
前記薬剤がリポソーム、小球体、マイクロカプセル、生体適合性マトリックスゲル、ナノ粒子、またはナノカプセルとして配合される、請求項1〜4のいずれかの1項に記載の使用。
【請求項６】
前記薬剤の全マクロライド濃度が1ng/ml未満から10mg/ml、好ましくは、1ng/mlから1mg/mlである、請求項1〜5のいずれかの1項に記載の使用。
【請求項７】
レーザ支援眼内角膜曲率形成術(LASIK)の後の患者の眼における角膜感覚の、部分的または完全な強化回復における使用のための、神経刺激および/または神経保護活性を有するマクロライドであって、その投与は非全身性局所的眼投与であるマクロライド。
【請求項８】
前記投与が、局所的な、眼内注射、結膜下投与、または硝子体内施用による、請求項7に記載の使用のためのマクロライド。
【請求項９】
遅延または持続放出製剤として配合される、請求項7または8に記載の使用のためのマクロライド。
【請求項１０】
レンズ内に配合される、請求項7に記載の使用のためのマクロライド。
【請求項１１】
リポソーム、小球体、マイクロカプセル、生体適合性マトリックスゲル、ナノ粒子、またはナノカプセル中に配合される、請求項7〜10のいずれかの1項に記載の使用のためのマクロライド。
【請求項１２】
1ng/ml未満から10mg/ml、好ましくは、1ng/mlから1mg/mlの量において存在する、請求項7〜10のいずれかの1項に記載の使用のためのマクロライド。
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
血管新生化腫瘍の治療用の薬剤の製造におけるアルファ放出性放射性同位体及び抗体の使用であって、該抗体へ結合された該アルファ放出性放射性同位体が、前記血管新生化腫瘍に関連する細胞に結合し、前記薬剤は全身投与に適している、アルファ放出性放射性同位体及び抗体の使用。
【請求項２】
血管新生化腫瘍に関連する血管新生の治療薬の製造におけるアルファ放出性放射性同位体及び抗体の使用であって、前記抗体へ結合された前記アルファ放出性放射性同位体が、前記血管新生化腫瘍に関連する細胞に結合し、前記治療薬は、全身性投与に適したものである、使用。
【請求項３】
血管新生化腫瘍に関連する血管内皮細胞又は周皮細胞を死滅させる治療薬の製造におけるアルファ放出性放射性同位体及び抗体の使用であって、前記抗体へ結合された該アルファ放出性放射性同位体が、前記血管新生化腫瘍に関連する細胞に結合し、前記治療薬は、全身性投与に適したものである、使用。
【請求項４】
前記血管新生化腫瘍が、肝臓腫瘍、卵巣腫瘍、結腸直腸腫瘍、肺腫瘍、胸部腫瘍、前立腺腫瘍、膵臓腫瘍、腎臓腫瘍、胃腫瘍、子宮頸部腫瘍、子宮内膜腫瘍、食道腫瘍、脳腫瘍、頭部腫瘍又は頸部腫瘍、腹膜癌症、肉腫及び黒色腫から成る群から選択される、請求項１〜３のいずれか１項に記載の使用。
【請求項５】
前記抗体が、前記血管新生化腫瘍に関連する前記内皮細胞の表面上に発現される抗原に結合する、請求項１〜３のいずれか１項に記載の使用。
【請求項６】
前記抗体が、抗ＭＣＳＰ抗体である、請求項１〜３のいずれか１項に記載の使用。
【請求項７】
前記アルファ放出性放射性同位体が、Ｔｂ−１４９、Ａｔ−２１１、Ｂｉ−２１３、Ａｃ−２２５、Ｒｎ−２１１、Ｒａ−２２４、Ｒａ−２２５、Ｅｓ−２５５及びＦｍ−２５６から成る群から選択される、請求項１〜３のいずれか１項に記載の使用。
【請求項８】
前記血管新生化腫瘍に関連する細胞は、血管内皮細胞、周皮細胞、又は癌細胞のいずれかである、使用。
【請求項９】
血管新生化腫瘍の治療のためのキットであって、該キットが、抗体へ結合された治療上有効量のアルファ放出性放射性同位体を含み、該抗体へ結合された該アルファ放出性放射性同位体が、前記血管新生化腫瘍に関連する細胞に結合する、血管新生化腫瘍の治療のためのキット。
【請求項１０】
血管新生化腫瘍に関連する血管新生の治療のためのキットであって、該キットが、抗体へ結合されたアルファ放出性放射性同位体を含み、該抗体へ結合された該アルファ放出性放射性同位体が、前記血管新生化腫瘍に関連する細胞に結合する、血管新生化腫瘍に関連する血管新生の治療のためのキット。
【請求項１１】
血管新生化腫瘍に関連する血管系の形成を阻害するためのキットであって、該キットが、抗体へ結合されたアルファ放出性放射性同位体を含み、該抗体へ結合された該アルファ放出性放射性同位体が、前記血管新生化腫瘍に関連する細胞に結合する、血管新生化腫瘍に関連する血管系の形成を阻害するためのキット。
【請求項１２】
血管新生化腫瘍に関連する細胞を死滅させるためのキットであって、該キットが、抗体へ結合されたアルファ放出性放射性同位体を含み、該抗体へ結合された該アルファ放出性放射性同位体が、前記血管新生化腫瘍に関連する細胞に結合し、前記細胞は、周皮細胞、血管内皮細胞又は癌細胞である、血管新生化腫瘍に関連する周皮細胞を死滅させるためのキット。
【請求項１３】
前記抗体が、抗ＭＣＳＰ抗体である、請求項９〜１２のいずれか１項に記載のキット。
【請求項１４】
前記アルファ放出性放射性同位体が、Ｔｂ−１４９、Ａｔ−２１１、Ｂｉ−２１３、Ａｃ−２２５、Ｒｎ−２１１、Ｒａ−２２４、Ｒａ−２２５、Ｅｓ−２５５及びＦｍ−２５６から成る群から選択される、請求項９〜１２のいずれか１項に記載のキット。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
一般式(I)の化合物又はそれらの塩。
【化１】
2009501732.tif 000001
(式中、
R1は、(C2-4)アルケニル及び(C2-4)アルキルから選ばれ；
R2は、以下の基であり、
【化２】
2009501732.tif 000002
（式中、
R20は、-O-(C1-6)アルキル及び-S-(C1-6)アルキルから選ばれ；
R21は、H、(C1-6)アルキル、ハロゲン、-O-(C1-6)アルキル及び-S-(C1-6)アルキルから選ばれ；
R22は、H又は-O-(C1-4)アルキルであり）又は
R2は、以下の基であり、
【化３】
2009501732.tif 000003
（式中、
R20は、前記定義の通りであり；
R24は、H、(C1-6)アルキル、ハロゲン、-O-(C1-6)アルキル及び-S-(C1-6)アルキルから選ばれ；
R25は、H又は(C1-6)アルキルであり）
R3は、(C1-6)アルキルであり；
R4は、置換されていないか又は(C1-6)アルキルで置換されている(C3-6)シクロアルキルであり；かつ
R5は、R50-O-又はR50-NH-であり；式中、R50は(C1-6)アルキル又は(C3-7)シクロアルキルであり；(C3-7)シクロアルキルは置換されていないか又は(C1-6)アルキルで置換されている。）
【請求項２】
R1がエテニル又はエチルから選ばれる、請求項１に記載の化合物。
【請求項３】
R2が、以下の基
【化４】
2009501732.tif 000004
（式中、R20、R21及びR22は、請求項１に定義の通りである）である、請求項１又は２に記載の化合物。
【請求項４】
R20が、メトキシ、エトキシ、プロポキシ、1-メチルエトキシ、メチルチオ、エチルチオ、プロピルチオ又は1-メチルエチルチオであり；R21が、H、フルオロ、クロロ、ブロモ、メチル、エチル、メトキシ、エトキシ、メチルチオ又はエチルチオであり；R22が、H、メトキシ又はエトキシである、請求項３に記載の化合物。
【請求項５】
R2が、以下の基
【化５】
2009501732.tif 000005
（式中、R20、R24及びR25は、請求項１に定義の通りである）である、請求項１又は２に記載の化合物。
【請求項６】
R20が、メトキシ、エトキシ、プロポキシ、1-メチルエトキシ、メチルチオ、エチルチオ、プロピルチオ又は1-メチルエチルチオであり；R24が、H、フルオロ、クロロ、ブロモ、メチル、エチル、メトキシ、エトキシ、メチルチオ又はエチルチオであり；R25が、H、メチル、エチル、プロピル又は1-メチルエチルである、請求項５に記載の化合物。
【請求項７】
R3が、1,1-ジメチルエチルである、請求項１〜６のいずれか１項に記載の化合物。
【請求項８】
R4が、シクロプロピル又はシクロブチルであり、それぞれ置換されていないか又はメチル、エチル、プロピル又は1-メチルエチルで置換されている、請求項１〜７のいずれか１項に記載の化合物。
【請求項９】
R5が、R50-O-である(R50は請求項１に定義の通りである)、請求項１〜８のいずれか１項に記載の化合物。
【請求項１０】
R50が、1,1-ジメチルエチル又はシクロペンチルから選ばれる、請求項９に記載の化合物。
【請求項１１】
R5が、R50-NH-であって（R50は、請求項１に定義の通りである）、請求項１〜８のいずれか１項に記載の化合物。
【請求項１２】
R50が、1,1-ジメチルエチル又はシクロペンチルから選ばれる、請求項１１に記載の化合物。
【請求項１３】
薬剤としての請求項１〜１２のいずれか１項に記載の化合物又は医薬的に許容され得るそれらの塩。
【請求項１４】
治療有効量の、請求項１〜１２のいずれか１項に記載の化合物又は医薬的に許容され得るそれらの塩；及び一つ以上の医薬的に許容され得るキャリヤーを含む医薬組成物。
【請求項１５】
少なくとも一つの他の抗ウイルス剤をさらに含む、請求項１４に記載の医薬組成物。
【請求項１６】
C型肝炎ウイルスに感染しているか又は感染のリスクを有する哺乳類におけるその感染の治療のための請求項１４又は１５に記載の医薬組成物。
【請求項１７】
C型肝炎ウイルスに感染しているか又は感染のリスクを有する哺乳類におけるその感染を治療するための医薬組成物であって、治療有効量の請求項１〜１２のいずれか１項に記載の化合物又は医薬的に許容され得るそれらの塩を含むことを特徴とする医薬組成物。
【請求項１８】
C型肝炎ウイルスに感染しているか又は感染のリスクを有する哺乳類におけるその感染を治療するための医薬組成物であって、治療有効量の請求項１〜１２のいずれか１項に記載の化合物又は医薬的に許容され得るそれらの塩及び少なくとも一つの他の抗ウイルス剤の組合せを含むことを特徴とする医薬組成物。
【請求項１９】
C型肝炎ウイルスに感染しているか又は感染のリスクを有する哺乳類におけるその感染を治療するための医薬組成物であって、請求項１〜１２のいずれか１項に記載の化合物、又は医薬的に許容され得るそれらの塩を含むことを特徴とする医薬組成物。
【請求項２０】
請求項１〜１２のいずれか１項に記載の化合物又は医薬的に許容され得るそれらの塩の、C型肝炎ウイルスに感染しているか又は感染のリスクを有する哺乳類におけるその感染の治療用医薬の製造のための使用。
【請求項２１】
C型肝炎ウイルス感染の治療又はHCVのNS3プロテアーゼを阻害するのに有効な組成物；及びその組成物がC型肝炎ウイルスによる感染の治療のために使用可能であることを示すラベルを含む包装材料を含む製品であって；その組成物が、請求項１〜１２のいずれか１項に記載の化合物又は医薬的に許容され得るそれらの塩を含むことを特徴とする製品。
【請求項２２】
C型肝炎ウイルスの複製を阻害するための医薬組成物であって、C型肝炎ウイルスNS3プロテアーゼ阻害量の、請求項１〜１２のいずれか１項に記載の化合物又はそれらの塩を含むことを特徴とする医薬組成物。
【請求項２３】
C型肝炎ウイルスの複製を阻害するのための医薬組成物であって、請求項１〜１２のいずれか１項に記載の化合物又はそれらの塩を含むことを特徴とする医薬組成物。
【請求項２４】
請求項１記載の化合物の調製方法であって、以下の工程、
a) 一般式(III)
【化６】
2009501732.tif 000006
(式中、R4は、請求項１に定義の通りである)の化合物を強酸と反応させ、対応するアミドアニオンを形成する工程、及び
b) 一般式(II)
【化７】
2009501732.tif 000007
(式中、R1、R2、R3及びR5は請求項１に定義の通りである)のアザラクトンを、工程a)で形成したアミドアニオンと反応させる工程、を含むことを特徴とする方法。
【請求項２５】
一般式(II)
【化８】
2009501732.tif 000008
(式中、R1、R2、R3及びR5は請求項１に定義の通りである)の中間体アザラクトン。
【請求項２６】
請求項２５に記載の中間体アザラクトンの、HCV NS3プロテアーゼインヒビターペプチド類似体の製造における使用。
【請求項２７】
請求項２５に記載の中間体アザラクトンの、請求項１に記載の化合物の製造における使用。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
実行中のプロセスにおいて、複数の命令を含むコード実行パスをリダイレクトする方法であって、
第１の機能により呼び出されるとカーネル・ハンドラを修正して、前記第１の機能とは別の置換機能の命令に戻るステップと、
前記コード実行パス内の残りの命令を変更しないまま前記コード実行パス内の単一の１バイトの命令を１バイトの割り込み命令で上書きするステップであって、上書きするとすぐに実行プロセスにおける前記単一の１バイトの割り込み命令により前記カーネル・ハンドラが呼び出される、ステップと、
前記カーネル・ハンドラによって呼び出された前記置換機能を実行するステップと、
前記コード実行パスに戻るステップとを具備する方法。
【請求項２】
前記割り込み命令がデバッガにとってのトラップとして使用される請求項１に記載の方法。
【請求項３】
前記割り込みがＩＮＴ３割り込み命令である請求項２に記載の方法。
【請求項４】
前記カーネル・ハンドラの修正が、前記割り込み命令からの復帰を前記置換命令へと継続させるための機構を提供すること含む請求項２に記載の方法。
【請求項５】
前記デバッガにとってのトラップは、他のコードが呼び出されるようにするために実行から抜け出す請求項１に記載の方法。
【請求項６】
前記カーネル機能によりアクセス可能なメモリ空間に前記置換機能をロードするステップをさらに具備する請求項１に記載の方法。
【請求項７】
前記実行中のプロセスが実行されているコンピュータ機器の再起動を必要とすることなく前記方法を実行するステップをさらに具備する請求項１に記載の方法。
【請求項８】
割り込みを使用することによりコード実行パスを変更して既存の機能を置き換える方法であって、
前記コード実行パス内の単一の１バイトの命令を前記割り込みで上書きするステップであって、前記単一の１バイトの命令により制御ハンドラが呼び出される、ステップと、
カーネル・ハンドラによって呼び出された置換機能を実行するステップと、
前記コード実行パスに戻るステップとを具備する方法。
【請求項９】
前記割り込みがＩＮＴ３割り込み命令であり、前記割り込み命令の長さが１バイトである請求項８に記載の方法。
【請求項１０】
前記カーネル・ハンドラが、前記割り込み命令からの復帰を前記置換機能へと継続させるための機構を含む請求項９に記載の方法。
【請求項１１】
前記コードパス中の元のコードのうち１バイトしか上書きされないように前記割り込みを挿入するステップをさらに具備する請求項８に記載の方法。
【請求項１２】
前記カーネル機能によりアクセス可能なメモリ空間に前記置換機能をロードするステップをさらに具備する請求項８に記載の方法。
【請求項１３】
前記既存の機能を実行しているプロセスが実行されているコンピュータ機器の再起動を必要とすることなく前記方法を実行するステップをさらに具備する請求項８に記載の方法。
【請求項１４】
実行中のプロセスにおいてコード実行パスをリダイレクトするためのコンピュータにより実行可能な命令を有するコンピュータ読み出し可能な媒体であって、前記コンピュータにより実行可能な命令は、
前記コード実行パス内の単一の１バイトの命令を新たな命令で上書きするステップであって、前記新たな命令は実行されると前記コード実行パスへのカーネル・ハンドラの実行を行う、ステップと、
前記カーネル・ハンドラによって呼び出された置換機能を実行するステップと、
前記コード実行パスに戻るステップとを具備する方法を実行する、コンピュータ読み出し可能な媒体。
【請求項１５】
前記命令が割り込みである請求項１４に記載のコンピュータ読み出し可能な媒体。
【請求項１６】
前記割り込みがＩＮＴ３割り込み命令であり、前記割り込み命令の長さが１バイトである請求項１５に記載のコンピュータ読み出し可能な媒体。
【請求項１７】
前記カーネル・ハンドラが、前記割り込み命令からの復帰を前記置換機能へと継続させるための機構を含む請求項１５に記載のコンピュータ読み出し可能な媒体。
【請求項１８】
前記コードパス中の元のコードのうち１バイトしか上書きされないように前記命令を挿入する命令をさらに具備する請求項１４に記載のコンピュータ読み出し可能な媒体。
【請求項１９】
前記カーネル機能によりアクセス可能なメモリ空間に前記置換機能をロードする命令をさらに具備する請求項１４に記載のコンピュータ読み出し可能な媒体。
【請求項２０】
前記実行中のプロセスが実行されているコンピュータ機器の再起動を必要とすることなく前記方法を実行する命令をさらに具備する請求項１４に記載のコンピュータ読み出し可能な媒体。
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
脳卒中もしくはその可能性を、その罹患の疑いのある被験者において診断する方法であり、グルタチオンSトランスフェラーゼP（GSTP-1）、またはその異型、変異体、もしくはアイソフォームを、前記被験者から採取した体液サンプルにおいて検出することを含み、対照と比較して増加したGSTP-1のレベルは脳卒中を示す、方法。
【請求項２】
脳卒中と事前に診断された被験者において、脳卒中の進行を追跡する方法であり、GSTP-1、またはその異型、変異体、もしくはアイソフォームのレベルを、前記被験者から異なる時間に採取した複数の体液サンプルにおいて測定すること、以前に検査したサンプルにおけるレベルと比較して、最近検査したサンプルにおける前記GSTP-1のレベルの変化を測定すること、および、その変化を前記脳卒中の進行、退行、または安定化と関連付けることを含む方法。
【請求項３】
前記GSTP-1に対する抗体が濃度の検出もしくは測定に用いられる、請求項１もしくは２に記載の方法。
【請求項４】
前記体液が脳脊髄液、血清、血漿、血液、涙、尿、もしくは唾液である、請求項１から３のいずれか一つに記載の方法。
【請求項５】
前記GSTP-1の一つ以上の特定のアイソフォームが測定される、請求項１から４のいずれか一つに記載の方法。
【請求項６】
前記GSTP-1の特定のアイソフォームの異なるレベルに基づいて診断が行われる、請求項５に記載の方法。
【請求項７】
前記GSTP-1が、脳卒中罹患被験者と非脳卒中罹患被験者の体液中で異なって翻訳後修飾を受け、かつ、前記サンプル中の前記GSTP-1の前記翻訳後修飾を検出し、これが脳卒中の患者で見られるものと一致するかどうかを決定し、それによって脳卒中の診断を行うことを含む、請求項１から６のいずれか一つに記載の方法。
【請求項８】
前記翻訳後修飾がN-グリコシル化を含む、請求項７に記載の方法。
【請求項９】
前記GSTP-1が、それに対する一種以上の自己抗体の測定によって検出される、請求項１から８のいずれか一つに記載の方法。
【請求項１０】
前記GSTP-1に対する複数の抗体から選択される二種以上のマーカーがELISAマイクロタイタープレートの単一ウェル中で使用される、請求項１から９のいずれか一つに記載の方法。
【請求項１１】
GSTP-1および一種以上の他のポリペプチドが別々に分析され、予測アルゴリズムが診断に使用され、前記一種以上の他のポリペプチドは、健康なドナーから採取した脳脊髄液と比較して、死亡した患者から採取した脳脊髄液ではそのレベルが増加しているか減少しているかのいずれかである、請求項１−１０のいずれか一つに記載の方法。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
分散局のネットワークで装置の活動状態を検出する方法であって、
１つのネットワーク局の活動状態は、保護されていない伝送プロトコルを用いてネットワーク局への検索要求により検査され、
少なくとも１つの安全な伝送プロトコルがデータアクセス及び／又はネットワーク局の制御のために利用可能になり、
調べられるネットワーク局が前記検索要求に応答しない場合、このネットワーク局へのデータアクセス及び／又は制御要求が、前記安全な伝送プロトコルを用いて更に行われ、
前記データアクセス及び／又は前記制御要求が失敗したという事実が前記安全な伝送プロトコルを介して伝達された場合に、指定されたネットワーク局の非活動状態が確認されることを特徴とする方法。
【請求項２】
制御されるネットワーク局の機能は、１つ以上の情報ファイルの形式で利用可能になり、
前記データアクセスは、そのネットワーク局に利用可能になっている情報ファイルに対して行われる、請求項１に記載の方法。
【請求項３】
前記情報ファイルは、データ提供サービスを介して利用可能になる、請求項１に記載の方法。
【請求項４】
前記情報ファイルは、記述言語により生成された情報ページに関係する、請求項１又は２に記載の方法。
【請求項５】
前記データ提供サービスは、ウェブサーバの形式である、請求項２又は３に記載の方法。
【請求項６】
前記記述言語は、ハイパーテキストマークアップ言語に対応するHTML又は拡張マークアップ言語に対応するXMLの情報ページの生成に対応する、請求項３又は４に記載の方法。
【請求項７】
誤り保護されたデータ伝送プロトコルが前記データアクセスに使用される、請求項１ないし６のうちいずれか１項に記載の方法。
【請求項８】
ハイパーテキスト転送プロトコルに対応するHTTPプロトコルが前記誤り保護されたデータ伝送プロトコルとして使用される、請求項６に記載の方法。
【請求項９】
前記データアクセスは、HTTPヘッドアクセスを用いて行われ、及び／又は前記制御要求は、HTTPポストアクセスを用いて行われる、請求項８に記載の方法。
【請求項１０】
シンプル・サービス・ディスカバリ・プロトコルに対応するSSDPプロトコルが検索要求に使用される、請求項１ないし９のうちいずれか１項に記載の方法。
【請求項１１】
前記分散局のネットワークは、ユニバーサル・プラグ・アンド・プレイに対応するUPnP型ネットワークである、請求項１ないし１０のうちいずれか１項の方法。
【請求項１２】
請求項１ないし１１のうちいずれか１項に記載の方法を実行するネットワーク局であって、
通信インタフェースを有し、
分散局のネットワークで更なるネットワーク局の活動状態を検査する活動状態検査手段を有し、
前記活動状態検査手段は、分散局のネットワークで前記更なるネットワーク局の検索要求を生成し、これを保護されていない伝送プロトコルを用いて送信する検索要求手段を有し、
データアクセス及び／又は前記更なるネットワーク局の制御のために少なくとも１つの安全な伝送プロトコルを利用可能にする通信手段が提供され、
前記活動状態検査手段は、前記検索要求への応答が存在しない場合に、前記通信手段を使用し、前記更なるネットワーク局のデータアクセス及び／又は制御要求を試み、
前記活動状態検査手段は、前記データアクセス及び／又は前記制御要求への反応を評価し、前記データアクセス及び／又は前記制御要求が失敗したという事実が前記安全な伝送プロトコルを介して伝達された場合に、前記指定された更なるネットワーク局の非活動状態を確認する評価手段を有することを特徴とするネットワーク局。
【請求項１３】
前記安全なデータ伝送プロトコルは、ハイパーテキスト転送プロトコルに対応するHTTPプロトコルに対応する、請求項１２に記載のネットワーク局。
【請求項１４】
前記データアクセスは、HTTPヘッドアクセスを用いて行われ、及び／又は前記制御要求は、HTTPポストアクセスを用いて行われる、請求項１３に記載のネットワーク局。
【請求項１５】
前記検索要求手段は、前記検索要求のために、シンプル・サービス・ディスカバリ・プロトコルに対応するSSDPプロトコルを使用する、請求項１２ないし１４のうちいずれか１項に記載のネットワーク局。
【請求項１６】
前記ネットワーク局は、ユニバーサル・プラグ・アンド・プレイに対応するUPnP標準に従って構成される、請求項１２ないし１５のうちいずれか１項に記載のネットワーク局。
【請求項１７】
前記通信インタフェースはEthernet（登録商標）インタフェースである、請求項１２ないし１６のうちいずれか１項に記載のネットワーク局。
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
グラフィカル・トポロジ表示としてデータを表現させるための、コンピュータにより実施される方法であって、
グラフィカル・トポロジ表示のためのレイアウト情報と、１つまたは複数のキーワードとを含む、文書をロードするステップと、
前記文書に含まれている各キーワードに関連するリアルタイム・データを検索するステップと、
前記文書に含まれている各キーワードに関連する前記リアルタイム・データの受信に応答して、前記文書により定義され、前記リアルタイム・データが表現された前記グラフィカル・トポロジ表示を生成するステップと、
を含む方法。
【請求項２】
前記文書はスケーラブル・ベクトル・グラフィックス・フォーマットの文書である、請求項１に記載の方法。
【請求項３】
前記グラフィカル・トポロジ表示は、スケーラブル・ベクトル・グラフィックス・フォーマットでのファイルのエクスポートをサポートする描画アプリケーションからエクスポートされる描画によるものである、請求項２に記載の方法。
【請求項４】
前記１つまたは複数のキーワードは、前記描画がエクスポートされた後に前記文書に追加される、請求項３に記載の方法。
【請求項５】
前記１つまたは複数のキーワードは、前記グラフィカル・トポロジ表示内のオブジェクトの属性である、請求項１乃至４のいずれか１項に記載の方法。
【請求項６】
前記１つまたは複数のキーワードは、前記グラフィカル・トポロジ表示に含まれるラベルである、請求項１乃至５のいずれか１項に記載の方法。
【請求項７】
アプリケーションサーバが、前記ロードするステップ、前記検索するステップ、および前記生成するステップを実行する、請求項１乃至６のいずれか１項に記載の方法。
【請求項８】
クライアント処理システム上のブラウザ・プログラムが、前記ロードするステップ、前記検索するステップ、および前記生成するステップを実行する、請求項１乃至７のいずれか１項に記載の方法。
【請求項９】
グラフィカル・トポロジ表示としてデータを表現させるための、コンピュータ使用可能媒体に含まれるコンピュータ使用可能のコンピュータ・プログラムであって、当該コンピュータに、
グラフィカル・トポロジ表示のためのレイアウト情報と１つまたは複数のキーワードとを含む、文書をロードするステップと、
前記文書に含まれている各キーワードに関連するリアルタイム・データを検索するステップと、
前記文書に含まれている各キーワードに関連する前記リアルタイム・データの受信に応答して、前記文書により定義され、前記リアルタイム・データが表現された前記グラフィカル・トポロジ表示を生成するステップと、
を実行させるための、コンピュータ・プログラム。
【請求項１０】
グラフィカル・トポロジ表示としてデータを表現させるためのデータ処理システムであって、
命令を記憶する記憶装置と、
グラフィカル・トポロジ表示のためのレイアウト情報と１つまたは複数のキーワードとを含む文書をロードする命令と、
前記文書に含まれている各キーワードに関連するリアルタイム・データを検索する命令と、
前記文書に含まれている各キーワードに関連する前記リアルタイム・データの受信に応答して、前記文書により定義され、前記リアルタイム・データが表現された前記グラフィカル・トポロジ表示を生成する命令と
を実行するように構成されるプロセッサと、
を備えるデータ処理システム。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
クロロゲン酸ラクトンに特異的に応答するヒトＴ２Ｒ苦みの味覚受容体を調節する化合物を同定するためのアッセイであって、そのｈＴ２Ｒが、ｈＴ２Ｒ８、ｈＴ２Ｒ１４、およびｈＴ２Ｒ５４から成る群より選択され、以下：
ｉ．クロロゲン酸ラクトンまたは構造的に関連する化合物により活性化される、ｈＴ２Ｒ８、ｈＴ２Ｒ１４、ｈＴ２Ｒ５４、またはそのフラグメント、バリアント、オルソログ、変異体、もしくはキメラの活性化を誘導するクロロゲン酸ラクトン化合物における、その効果について化合物をスクリーニングすること、そして
ｉｉ．前記クロロゲン酸ラクトンまたは構造的に関連する化合物による、前記受容体の活性化におけるその効果に基づいて、前記化合物が、苦味の味覚に関連するｈＴ２Ｒ８、ｈＴ２Ｒ１４、および/またはｈＴ２Ｒ５４を調節するかどうかを決定すること
を包含する前記アッセイ。
【請求項２】
クロロゲン酸ラクトンである３ＣｏＱＡＬに特異的に応答する苦みの味覚受容体を調節する化合物を同定するためのアッセイであって、前記味覚受容体が、ｈＴ２Ｒ８、ｈＴ２Ｒ１４、およびｈＴ２Ｒ５４から成る群より選択され、以下：
ｉ．３ＣｏＱＡＬまたは構造的に関連する化合物により活性化される、ｈＴ２Ｒ８、ｈＴ２Ｒ１４、ｈＴ２Ｒ５４、またはそのフラグメント、バリアント、オルソログ、変異体、もしくはキメラの活性化を誘導する、３ＣｏＱＡＬ、または構造的に関連する化合物における、その効果について化合物をスクリーニングすること；そして
ｉｉ．３ＣｏＱＡＬ、または構造的に関連する化合物による、前記受容体の活性化におけるその効果に基づいて、前記化合物が、ｈＴ２Ｒ８、ｈＴ２Ｒ１４、またはｈＴ２Ｒ５４を調節するかどうかを決定すること
を包含する前記アッセイ。
【請求項３】
クロロゲン酸ラクトンである３ＣＱＡＬおよび４ＣＱＡＬのいずれかまたは双方に特異的に応答する、苦みのＴ２Ｒ味覚受容体を調節する化合物を同定するためのアッセイであって、そのＴ２Ｒが、ｈＴ２Ｒ８、ｈＴ２Ｒ１４、およびｈＴ２Ｒ５４から成る群より選択され、以下：
ｉ．３ＣＱＡＬおよび４ＣＱＡＬのいずれかもしくは双方、または構造的に関連する化合物により活性化される、ｈＴ２Ｒ８、ｈＴ２Ｒ１４、および/もしくはｈＴ２Ｒ５４、またはそのフラグメント、バリアント、オルソログ、変異体、もしくはキメラの活性化を誘導する、デノトニウムベンゾエートまたは構造的に関連する化合物における、その効果について化合物をスクリーニングすること；そして
ｉｉ．３ＣＱＡＬおよび４ＣＱＡＬのいずれかもしくは双方、または構造的に関連する化合物による、前記受容体の活性化におけるその効果に基づいて、前記化合物が、ｈＴ２Ｒ８、ｈＴ２Ｒ１４、および/またはｈＴ２Ｒ５４を調節するかどうかを決定すること
を包含する前記アッセイ。
【請求項４】
クロロゲン酸ラクトンである４ＦＱＡＬに特異的に応答する、ヒト味覚受容体を調節する化合物を同定するためのアッセイであって、その味覚受容体が、ｈＴ２Ｒ８、およびｈＴ２Ｒ５４から成る群より選択され、以下：
ｉ．ストリキニーネまたは構造的に関連する化合物により活性化される、ｈＴ２Ｒ８および/もしくはｈＴ２Ｒ５４、またはそのフラグメント、バリアント、オルソログ、変異体、もしくはキメラの活性化を誘導する、４ＦＱＡＬまたは構造的に関連する化合物における、その効果について化合物をスクリーニングすること；そして
ｉｉ．クロロゲン酸ラクトンである４ＦＱＡＬまたは構造的に関連する化合物による、前記受容体の活性化におけるその効果に基づいて、前記化合物が、苦味の味覚に関連するｈＴ２Ｒ８および/またはｈＴ２Ｒ５４を調節するかどうかを決定すること
を包含する前記アッセイ。
【請求項５】
苦味の味覚を阻害する量の、請求項１、２、３または４記載のいずれかのアッセイを使用して同定された化合物を、それに添加することを包含する、食品、飲料、または医薬剤の苦味の味覚を軽減する方法。
【請求項６】
食品、飲料または医薬剤の苦味の味覚を軽減する方法であって、クロロゲン酸ラクトン化合物によるｈＴ２Ｒ８、ｈＴ２Ｒ１４、および/またはｈＴ２Ｒ５４の活性化を誘導または増強する、請求項１のアッセイのいずれか１つで同定された少なくとも１つの化合物を、それらから除去することを包含する、前記方法。
【請求項７】
低減した苦味の食品、飲料、または医薬剤を、各々他の食品、飲料、または医薬剤と比較して同定するための方法であって、以下
ａ．一組の食品、飲料または医薬剤からの抽出物を調製する；
ｂ．請求項１に記載したアッセイを使用して、抽出物からのアリコートを接触させる；
ｃ．様々なアリコートを用いてアッセイの応答を記録する；
ｄ．異なる抽出物の応答の順位を定める；そして
ｅ．最も低い活性化活性を有する、食品、飲料または医薬剤のサンプルを選択する；
ことを包含する、前記方法。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
電子ファイルシステム内でオブジェクトを持続型自動リスト上へドラッグ／ドロップする操作を検知するステップであって、前記持続型自動リストは、当該持続型自動リストに関連付けられた１つまたは複数の基準に合致する複数のオブジェクトのセットを含む動的なリストであり、前記持続型自動リストに含まれる前記複数のオブジェクトのセットは、オブジェクトのプロパティの変更に従って変化する、当該検知するステップと、
前記ドラッグ／ドロップ操作の検知に応答して、前記持続型自動リストの前記１つまたは複数の基準に準拠するように、前記オブジェクトに関連する少なくとも１つのプロパティを修正、追加、または削除するステップと
をコンピュータに実行させるためのコンピュータ実行可能命令を記録したことを特徴とするコンピュータ読取可能な記録媒体。
【請求項２】
前記オブジェクトは、前記ドラッグ／ドロップ操作の検知の結果、前記電子ファイルシステム内における場所を変更しないことを特徴とする請求項１に記載のコンピュータ読取可能な記録媒体。
【請求項３】
前記コンピュータ実行可能命令は、さらに、
前記１つまたは複数の基準に準拠するように、前記少なくとも１つのプロパティを修正、追加、または削除することができるかどうかを判定するステップ
をコンピュータに実行させることを特徴とする請求項１に記載のコンピュータ読取可能な記録媒体。
【請求項４】
前記コンピュータ実行可能命令は、さらに、
前記オブジェクトが前記持続型自動リストの範囲内にあるかどうかを判定するステップと、
前記オブジェクトが前記範囲内にない場合、前記オブジェクトを前記範囲内の場所にコピーするステップと
をコンピュータに実行させ、
前記少なくとも１つのプロパティは、前記オブジェクトのコピーの組込みプロパティであることを特徴とする請求項１に記載のコンピュータ読取可能な記録媒体。
【請求項５】
前記オブジェクトは、複数のアイテムを含むフォルダであり、前記少なくとも１つのプロパティは、前記複数のアイテムのそれぞれの組込みプロパティであり、前記複数のアイテムのそれぞれは、前記ドラッグ／ドロップ操作の結果、前記フォルダ内に留まることを特徴とする請求項１に記載のコンピュータ読取可能な記録媒体。
【請求項６】
前記オブジェクトは、複数のアイテムを参照するリストであり、前記少なくとも１つのプロパティは、前記複数のアイテムのそれぞれの組込みプロパティであり、前記複数のアイテムのそれぞれは、前記ドラッグ／ドロップ操作を検知した結果として前記電子ファイルシステム内の場所を変更しないことを特徴とする請求項１に記載のコンピュータ読取可能な記録媒体。
【請求項７】
前記コンピュータ実行可能命令は、さらに、
前記ドラッグ／ドロップ操作のドラッグの間に、前記少なくとも１つのプロパティが修正、追加、または削除されることになる指示を表示するステップ
をコンピュータに実行させることを特徴とする請求項１に記載のコンピュータ読取可能な記録媒体。
【請求項８】
グラフィカルユーザインターフェース内で第１のオブジェクトをフォルダに関連付けるための第１の要求を検知したことに応答して、当該第１の要求により前記第１のオブジェクトが前記フォルダに移動されること、または前記第１のオブジェクトが前記フォルダにコピーされることになることを示すフィードバックを提示し、前記第１のオブジェクトを前記フォルダ内へ移動させるか、または前記第１のオブジェクトを前記フォルダ内へコピーするステップと、
前記グラフィカルユーザインターフェース内で第２のオブジェクトをリストに関連付けるための第２の要求を検知したことに応答して、当該第２の要求により前記第２のオブジェクトへのショートカットがリストに追加されることになることを示すフィードバックを提示し、前記第２のオブジェクトへのショートカットを前記リストに追加するステップと、
前記グラフィカルユーザインターフェース内で第３のオブジェクトを持続型自動リストに関連付けるための第３の要求を検知したことに応答して、当該第３の要求によりプロパティが追加、削除、または修正されることになることを示すフィードバックを提示し、前記第３のオブジェクトに関連するプロパティ、または前記第３のオブジェクトのコピーのプロパティの一方を、前記持続型自動リストに関連付けられた１つまたは複数の基準に準拠させるステップであって、前記持続型自動リストは、当該持続型自動リストに関連付けられた前記１つまたは複数の基準に合致する複数のオブジェクトのセットを含む動的なリストであり、前記持続型自動リストに含まれる前記複数のオブジェクトのセットは、オブジェクトのプロパティの変更に従って変化する、当該準拠させるステップと
をコンピュータに実行させることを特徴とするプログラム。
【請求項９】
前記第３のオブジェクトが前記持続型自動リストの範囲外にあるとき、前記準拠させるステップは、前記第３のオブジェクトをコピーして、前記持続型自動リストの前記範囲内に配置される前記第３のオブジェクトのコピーを作成することをさらに含むことを特徴とする請求項８に記載のプログラム。
【請求項１０】
前記第１のオブジェクト、前記第２のオブジェクト、および前記第３のオブジェクトは、それぞれ、１つのアイテムであることを特徴とする請求項８に記載のプログラム。
【請求項１１】
前記第１のオブジェクト、前記第２のオブジェクト、および前記第３のオブジェクトは、それぞれ、アイテムを含む１つのフォルダであり、前記プロパティは、当該アイテムの組込みプロパティであることを特徴とする請求項８に記載のプログラム。
【請求項１２】
前記第１のオブジェクト、前記第２のオブジェクト、および前記第３のオブジェクトは、それぞれ、アイテムを参照する１つのリストであり、前記プロパティは、当該アイテムの組込みプロパティであることを特徴とする請求項８に記載のプログラム。
【請求項１３】
前記第１の要求は、前記第１のオブジェクトを前記フォルダ上にドロップする操作であり、前記第２の要求は、前記第２のオブジェクトを前記リスト上にドロップする操作であり、前記第３の要求は、前記第３のオブジェクトを前記持続型自動リスト上にドロップする操作であることを特徴とする請求項８に記載のプログラム。
【請求項１４】
前記第１の要求は、前記第１のオブジェクトを前記フォルダにペーストする操作であり、前記第２の要求は、前記第２のオブジェクトを前記リストにペーストする操作であり、前記第３の要求は、前記第３のオブジェクトを前記持続型自動リストにペーストする操作であることを特徴とする請求項８に記載のプログラム。
【請求項１５】
さらに、
前記第１のオブジェクトを前記フォルダ上にドラッグする操作に応答して、表示のための第１のアイコンを作成するステップと、
前記第２のオブジェクトを前記リストにドラッグする操作に応答して、表示のための、前記第１のアイコンと異なる第２のアイコンを作成するステップと、
前記第３のオブジェクトを前記持続型自動リストにドラッグする操作に応じて、表示のための、前記第１のアイコンおよび前記２のアイコンと異なる第３のアイコンを作成するステップと
をコンピュータに実行させることを特徴とする請求項８に記載のプログラム。
【手続補正書】
【提出日】平成21年3月13日(2009.3.13)
【手続補正１】
【補正対象書類名】特許請求の範囲
【補正対象項目名】請求項１２
【補正方法】変更
【補正の内容】
【請求項１２】
前記基板はオルト−ニトロスチルベンおよびポリメチルメタクリレートを含むものである、請求項１に記載の装置。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
メタリックな色調を有し、メタリック顔料を含むトナーであって、前記メタリック顔料が、
ａ）脂肪酸、少なくとも１種類の酸のアミド、少なくとも１種類の酸の塩、オレフィン系材料、天然蝋、合成蝋、ポリマー、およびそれらの組合せから選択される有機層（その有機層は帯電制御剤と所望により着色剤を含む）、
ｂ）所望により、ケイ酸塩、チタン酸塩、またはアルミン酸塩の塗膜、を含み、
前記トナーが所望により疎水性のヒュームド金属酸化物で被覆されていることを特徴とするトナー。
【請求項２】
トナーに用いるメタリック顔料であって、
ａ）脂肪酸、少なくとも１種類の酸のアミド、少なくとも１種類の酸の塩、オレフィン系材料、天然蝋、合成蝋、ポリマー、およびそれらの組合せから選択される有機層（その有機層は帯電制御剤と所望により着色剤を含む）、
ｂ）所望により、前記メタリック顔料の２重量％〜約１０重量％の量のケイ酸塩、チタン酸塩、またはアルミン酸塩の塗膜、を含むことを特徴とするメタリック顔料。
【請求項３】
メタリックな色調を有するトナーの調製方法であって、
ａ）ｉ）脂肪酸、少なくとも１種類の酸のアミド、少なくとも１種類の酸の塩、オレフィン系材料、天然蝋、合成蝋、ポリマー、およびそれらの組合せから選択される有機層（その有機層は帯電制御剤と所望により着色剤を含む）、ならびにｉｉ）所望により、ケイ酸塩、チタン酸塩、またはアルミン酸塩の塗膜（それにより被覆されたメタリック顔料が得られる）、を含むメタリック顔料を準備する段階と、
ｂ）前記被覆されたメタリック顔料とトナー材料とを混合する段階と、
ｃ）所望により、結果として生じるトナー材料を疎水性のヒュームド金属酸化物で表面被覆する段階と、を含むメタリックな色調を有するトナーの調製方法。